(57)【要約】    【課題】      装置規模及び消費電力を増大させることなく、チャンネルリストを自動で切り替える放送受信装置を提供すること。    【解決手段】  受信チャンネルリスト記憶部１０６には、複数の異なる放送エリアにそれぞれ対応した複数のチャンネルリストが記憶され、切り替え選局制御部１２１がこれら複数のチャンネルリストのうち、カレントに設定された第１チャンネルリストを用いて選局を行い、選局が失敗すると、カレントに設定するチャンネルリストを他の第２チャンネルリストに切り替え、第２チャンネルリストのチャンネルで選局する。  【選択図】      図３
2006109337.tif 000002
【特許請求の範囲】
【請求項１】
複数の異なる放送エリアにそれぞれ対応した複数のチャンネルリストを記憶する記憶手段と、
前記記憶手段に記憶された複数のチャンネルリストのうち、現在使用可能な第１チャンネルリストを用いて選局が失敗した場合、現在使用可能なチャンネルリストを他の第２チャンネルリストに切り替え、前記第２チャンネルリストの周波数チャンネルで選局する切り替え選局制御手段と、
を具備することを特徴とする放送受信装置。
【請求項２】
前記切り替え選局制御手段は、デジタル放送によって送出された放送波を選局する場合、チャンネルを指定する入力情報が前記第２チャンネルリストのサービスチャンネルと一致する周波数チャンネルを選局することを特徴とする請求項１に記載の放送受信装置。
【請求項３】
前記切り替え選局制御手段は、優先順位が付けられた前記複数のチャンネルリストを優先順位に従って、現在使用可能なチャンネルリストを切り替えることを特徴とする請求項１又は請求項２に記載の放送受信装置。
【請求項４】
前記切り替え選局制御手段は、選局が成功したチャンネルリストを現在使用可能なチャンネルリストに設定することを特徴とする請求項１から請求項３のいずれかに記載の放送受信装置。
【請求項５】
前記切り替え選局制御手段は、選局が成功したチャンネルリスト切り替え制御の優先順位を上げることを特徴とする請求項１から請求項３のいずれかに記載の放送受信装置。
【請求項６】
前記切り替え選局制御手段は、チャンネルを指定する入力情報が前記第１チャンネルリストにない場合、前記第２チャンネルリストに切り替えて選局することを特徴とする請求項１から請求項５のいずれかに記載の放送受信装置。
【請求項７】
前記切り替え選局制御手段は、前記記憶手段に記憶された全てのチャンネルリストを用いて選局が失敗した場合にチャンネルサーチを行うことを特徴とする請求項１から請求項６のいずれかに記載の放送受信装置。
【請求項８】
前記切り替え選局制御手段は、チャンネルサーチを行う場合、選局が失敗したチャンネルリストのチャネルをサーチ対象から除外することを特徴とする請求項７に記載の放送受信装置。
【請求項９】
前記切り替え選局制御手段は、直近の終了時に選局されていたチャンネルで起動時に選局することを特徴とする請求項１から請求項８のいずれかに記載の放送受信装置。
【請求項１０】
前記切り替え選局制御手段は、直近の終了時に選局されていたチャンネルで起動時に選局できなかった場合、現在使用可能なチャンネルリストを切り替えることを特徴とする請求項９に記載の放送受信装置。
【請求項１１】
前記切り替え選局制御手段は、テレビ再生中に放送波の受信ができなくなった場合、現在使用可能なチャンネルリストを切り替えることを特徴とする請求項１から請求項１０のいずれかに記載の放送受信装置。
【請求項１２】
前記切り替え選局制御手段は、現在使用可能なチャンネルリストを前記第２チャンネルリストに切り替えて選局する際、テレビ再生中に放送波の受信ができなくなったときの放送局と同一系列局を示す系列局情報が一致するチャンネルで選局することを特徴とする請求項９に記載の放送受信装置。
【請求項１３】
前記切り替え選局制御手段は、現在使用可能なチャンネルリストを前記第２チャンネルリストに切り替えて選局する際、テレビ再生中に放送波の受信ができなくなったときの前記放送波に含まれる番組情報に基づいて、同一番組を放送するチャンネルで選局することを特徴とする請求項９に記載の放送受信装置。
【発明の詳細な説明】
【技術分野】
【０００１】
本発明は、携帯端末に搭載される放送受信装置に関する。
【背景技術】
【０００２】
近年、テレビの視聴が可能な携帯電話等の携帯端末が普及しつつあり、ユーザは移動中又は移動先でもテレビの電波を受信できれば場所に制約されることなくテレビを視聴することができる。
【０００３】
一般に、テレビには、放送エリアに対応したチャンネルリストと呼ばれるリストがチャンネルサーチにより作成されるか、または事前に備えられており、このチャンネルリストにはある放送エリアで受信可能なチャンネルとチャンネルを指定する番号が対応付けられている。
【０００４】
このようなテレビ視聴が可能な携帯端末は、端末が放送エリアを越えて移動した場合、移動先の放送エリアに対応するチャンネルリストを有していないため、テレビを視聴することができない。
【０００５】
そこで、特許文献１に開示された発明がなされている。図８は、特許文献１に記載された放送受信装置の構成を示すブロック図である。この図において、地上デジタルテレビ放送を受信する第１受信装置３０を用いて視聴を継続しつつ、地上デジタルラジオ放送を受信する第２受信装置３１を用いてチャンネルサーチを行うことにより、現時点におけるチャンネルリストを作成し、放送エリアが変更した場合には、作成したチャンネルリストに変更してテレビを視聴することができる。
【特許文献１】特開２００４−６４５９０号公報
【発明の開示】
【発明が解決しようとする課題】
【０００６】
しかしながら、上述した特許文献１に記載の放送受信装置では、２台の受信装置を備えることから、装置規模及び消費電力が増大してしまう。
【０００７】
本発明はかかる点に鑑みてなされたものであり、装置規模及び消費電力を増大させることなく、チャンネルリストを切り替える放送受信装置を提供することを目的とする。
【課題を解決するための手段】
【０００８】
本発明の第１の態様は、複数の異なる放送エリアにそれぞれ対応した複数のチャンネルリストを記憶する記憶手段と、前記記憶手段に記憶された複数のチャンネルリストのうち、現在使用可能な第１チャンネルリストを用いて選局が失敗した場合、現在使用可能なチャンネルリストを他の第２チャンネルリストに切り替え、前記第２チャンネルリストの周波数チャンネルで選局する切り替え選局制御手段と、を具備する放送受信装置である。
【０００９】
この構成によれば、現在使用可能な第１チャンネルリストを用いて選局が失敗した場合、現在使用可能なチャンネルリストを他の第２チャンネルリストに切り替えて選局することにより、ユーザがチャンネルリストを切り替えて選局するという手間を省くことができる。
【００１０】
本発明の第２の態様は、上記態様において、前記切り替え選局制御手段は、デジタル放送によって送出された放送波を選局する場合、チャンネルを指定する入力情報が前記第２チャンネルリストのサービスチャンネルと一致する周波数チャンネルを選局する放送受信装置である。
【００１１】
この構成によれば、他の周波数チャンネルで同一のサービスが放送されている場合、同一のサービスを選局することができる。
【００１２】
本発明の第３の態様は、上記態様において、前記切り替え選局制御手段が、優先順位が付けられた前記複数のチャンネルリストを優先順位に従って、現在使用可能なチャンネルリストを切り替える放送受信装置である。
【００１３】
この構成によれば、チャンネルリストを優先順位に従って、現在使用可能なチャンネルリストを切り替えるため、ユーザが所在する頻度の高い放送エリアに対応するチャンネルリストの優先順位を高くしておくことにより、選局が失敗した場合に、切り替える第２チャンネルリストを用いて選局される可能性を向上させることができる。
【００１４】
本発明の第４の態様は、上記態様において、前記切り替え選局制御手段が、選局が成功したチャンネルリストを現在使用可能なチャンネルリストに設定する放送受信装置である。
【００１５】
本発明の第５の態様は、上記態様において、前記切り替え選局制御手段が、選局が成功したチャンネルリスト切り替え制御の優先順位を上げる放送受信装置である。
【００１６】
これらの構成によれば、選局が成功したチャンネルリストを現在使用可能なチャンネルリストに設定したり、優先順位を上げたりすることにより、ユーザが存在する放送エリアに対応したチャンネルリストの利便性を向上させることができる。
【００１７】
本発明の第６の態様は、上記態様において、前記切り替え選局制御手段が、チャンネルを指定する入力情報が前記第１チャンネルリストにない場合、前記第２チャンネルリストに切り替えて選局する放送受信装置である。
【００１８】
この構成によれば、チャンネルを指定する入力情報が第１チャンネルリストにないと、第２チャンネルリストに切り替えて選局することにより、ユーザがチャンネルリストを切り替えて選局するという手間を省くことができる。
【００１９】
本発明の第７の態様は、上記態様において、前記切り替え選局制御手段が、前記記憶手段に記憶された全てのチャンネルリストを用いて選局が失敗した場合にチャンネルサーチを行う放送受信装置である。
【００２０】
この構成によれば、ユーザにより設定されていない放送エリアに移動した場合でも、自動でチャンネルリストを作成し、設定することができる。
【００２１】
本発明の第８の態様は、上記態様において、前記切り替え選局制御手段が、チャンネルサーチを行う場合、選局が失敗したチャンネルリストのチャネルをサーチ対象から除外する放送受信装置である。
【００２２】
この構成によれば、選局が失敗したチャンネルリストのチャネルをサーチ対象から除外することにより、高速にチャンネルサーチを行うことができる。
【００２３】
本発明の第９の態様は、上記態様において、前記切り替え選局制御手段が、直近の終了時に選局されていたチャンネルで起動時に選局する放送受信装置である。
【００２４】
この構成によれば、放送受信装置の起動と共に、直近の終了時に選局されていたチャンネルで選局することができるので、直近の終了時と起動時とでユーザが同一の放送エリア内にいれば、直近の終了時に選局されていたチャンネルでテレビ再生することができる。
【００２５】
本発明の第１０の態様は、上記態様において、前記切り替え選局制御手段が、直近の終了時に選局されていたチャンネルで起動時に選局できなかった場合、現在使用可能なチャンネルリストを切り替える放送受信装置である。
【００２６】
この構成によれば、放送受信装置の起動と共に、直近の終了時に選局されていたチャンネルで選局することができないと、直近の終了時にユーザが存在した放送エリアと起動時の放送エリアとが異なることが考えられるので、現在使用可能なチャンネルリストを切り替えることにより、起動時の放送エリアに対応するチャンネルリストで選局できる可能性を向上させることができる。
【００２７】
本発明の第１１の態様は、上記態様において、前記切り替え選局制御手段が、テレビ再生中に放送波の受信ができなくなった場合、現在使用可能なチャンネルリストを切り替える放送受信装置である。
【００２８】
この構成によれば、テレビ再生中に放送波の受信ができなくなると、ユーザが放送エリアを越えて移動したことが考えられるので、現在使用可能なチャンネルリストを切り替えることにより、移動先の放送エリアに対応するチャンネルリストで選局できる可能性を向上させることができる。
【００２９】
本発明の第１２の態様は、上記態様において、前記切り替え選局制御手段が、現在使用可能なチャンネルリストを前記第２チャンネルリストに切り替えて選局する際、テレビ再生中に放送波の受信ができなくなったときの放送局と同一系列局を示す系列局情報が一致するチャンネルで選局する放送受信装置である。
【００３０】
この構成によれば、テレビ再生中に放送波の受信ができなくなると、ユーザが放送エリアを越えて移動したことが考えられるので、テレビ再生中に放送波の受信ができなくなったときの放送波を放送する系列局を示す系列局情報と一致するチャンネルで選局することにより、移動先の放送エリアでも同一番組のテレビ再生を継続させる可能性を向上させることができる。
【００３１】
本発明の第１３の態様は、上記態様において、前記切り替え選局制御手段が、現在使用可能なチャンネルリストを前記第２チャンネルリストに切り替えて選局する際、テレビ再生中に放送波の受信ができなくなったときの前記放送波に含まれる番組情報に基づいて、同一番組を放送するチャンネルで選局する放送受信装置である。
【００３２】
この構成によれば、テレビ再生中に放送波の受信ができなくなると、ユーザが放送エリアを越えて移動したことが考えられるので、テレビ再生中に放送波の受信ができなくなったときの放送波に含まれる番組情報に基づいて、同一番組を放送するチャンネルで選局することにより、移動先の放送エリアでも同一番組のテレビ再生を継続させる可能性を向上させることができる。
【発明の効果】
【００３３】
本発明によれば、装置規模及び消費電力を増大させることなく、チャンネルリストを変更する放送受信装置を提供することができる。
【発明を実施するための最良の形態】
【００３４】
以下、本発明の実施の形態について、図面を参照して詳細に説明する。
【００３５】
（実施の形態１）
本発明の実施の形態１では、デジタル放送受信装置を例に挙げて説明する。まず、地上波デジタル放送の概略について説明する。地上波デジタル放送では、１つのチャンネルの帯域（６ＭＨｚ）を１３分割したうちの１つ（１セグメント）を割り当て、データ放送サービスが行われる予定である。このデータ放送サービスを部分受信放送という。なお、１セグメントで送信される情報量は非常に少なく、番組情報などは最大でも１０番組先の情報までしか含めることができない。ちなみに、番組情報としてはＰＳＩ（Program Specific Information）やＳＩ（Service Information）が知られており、ＰＳＩは所望の番組を選択するために必要な情報である。また、ＳＩは番組選択の利便性のために規定された各種情報であり、番組名や放送局名などのＥＰＧ（Electronic Program Guide）に関連する情報である。
【００３６】
また、地上波デジタル放送では、放送局が映像、音声、その他の番組情報といった複数のデータを１本のストリームに多重化する際、ＭＰＥＧのプロトコルであるＭＰＥＧ−２  ＴＳ（Transport Stream）が用いられ、多重化されたストリームが受信側で分離され、多重化前のデータが取得される。以下、本明細書において、単にＴＳと記載した場合は、放送局が送出する部分受信放送のデータ全てを意味するものとする。
【００３７】
このようにデジタル放送は複数のデータを多重化することができるため、アナログ放送とは異なり、１つの周波数帯域でも複数のチャンネルを運用することができる。ここで、混乱及び誤用を避けるため、本明細書におけるチャンネルの概念について定義する。チャンネルには、物理チャンネルと論理チャンネルがあり、物理チャンネルはアナログ放送でも用いられており、物理的な周波数の割り当てチャンネル（以下、「周波数チャンネル」という）である。周波数チャンネルは、地上波デジタル放送において、１３ｃｈから６２ｃｈまでが割り当てられている。次に、論理チャンネルは、周波数チャンネル内の複数の番組編成（以下、「サービス」という）を識別する論理的なチャンネルであり、サービスチャンネルといい、サービスＩＤによって識別される。このような周波数チャンネルとサービスチャンネルを総称してチャンネルという。
【００３８】
ちなみに、上述した周波数チャンネルをリモコンなどのワンタッチボタンの番号に割り付けて簡易表記することがあり、この番号をリモコン番号という。リモコン番号による選局が行われた場合、１つの周波数チャンネルに含まれる複数のサービスチャンネルのうち、プライマリサービスと呼ばれる主サービスが選局される。さらに、このリモコン番号とサービスチャンネルの値から計算され、ユーザが周波数チャンネル内のサービスを直接指定する番号を３桁番号という。
【００３９】
図１は、本発明の実施の形態１に係るデジタル放送受信装置１００の構成を示すブロック図である。この図において、チューナ部１０２は、アンテナ１０１を介して受信した放送波からユーザによって指定されたチャンネルの周波数信号を抽出し、抽出した周波数信号の符号復調処理を行う。復調処理された信号は多重化分離部１０３及び制御部１０５に出力される。
【００４０】
多重化分離部１０３は、チューナ部１０２から出力された信号を映像、音声、番組情報などに分離し、分離した情報を制御部１０５に出力する。
【００４１】
入力部１０４は、ボタンキー、カメラ、マイク等であり、これらによってユーザは所望のリモコン番号又は３桁番号を制御部１０５に入力する。
【００４２】
制御部１０５は、デジタル放送受信装置１００内の各部を制御することにより、テレビ再生、選局などを行う。制御部１０５の詳細については後述する。
【００４３】
受信チャンネルリスト記憶部１０６は、受信可能な放送波を検出し、リモコン番号と対応付けるチャンネルサーチにより、サーチした時点で受信可能な放送局の情報を受信チャンネルリストとして記録する不揮発メモリである。また、受信チャンネルリスト記憶部１０６は、図２に示すように、異なる放送エリア毎に複数のチャンネルリストを備え、各チャンネルリストには、リモコン番号、３桁番号、周波数チャンネル、リモコンキー番号、放送局識別子、サービスＩＤ、受信レベル、系列局情報などが含まれる。ちなみに、図２（ａ）は自宅を含む放送エリアに対応するチャンネルリストであり、図２（ｂ）は通勤途中を含む放送エリアに対応するチャンネルリストであり、図２（ｃ）は会社を含む放送エリアに対応するチャンネルリストである。このように各チャンネルリストには自宅、通勤、会社などといったチャンネルリスト識別情報が付されている。
【００４４】
映像処理部１０７は、多重化分離部１０３から出力され、Ｈ．２６４などで符号化された映像ストリームを復号し、復号した信号を表示部１０８に出力し、表示部１０８は、映像処理部１０７から出力された画像を表示する。
【００４５】
音声処理部１０９は、多重化分離部１０３から出力され、ＡＡＣなどで符号化された音声ストリームを復号し、復号した信号を音声出力部１１０に出力し、音声出力部１１０は、音声処理部１０９から出力された信号を音声として出力する。
【００４６】
次に、上述した制御部１０５の内部構成について図３を用いて説明する。この図において、切り替え選局制御部１２１は、入力部１０４からリモコン番号又は３桁番号が入力されると、チャンネルリスト制御部１２２、周波数チャンネル選局部１２３、放送解析部１２４及びサービスチャンネル選局部１２５を制御することにより、切り替え選局を開始する。また、エリアが圏外になるなどの異常が生じた場合も切り替え選局を開始する。受信チャンネルリスト記憶部１０６に記憶されている全てのチャンネルリストを検索しても、受信可能なチャンネルがない場合はチャンネルサーチを開始する。
【００４７】
チャンネルリスト制御部１２２は、受信チャンネルリスト記憶部１０６に対する読み出し制御及び書き込み制御を行う。例えば、受信チャンネルリスト記憶部１０６に記憶された複数のチャンネルリストのうちカレントに設定する（現在使用する）チャンネルリストを変更したり、優先的にカレントに設定する順番（優先順位）を管理したり、チャンネルリストの更新を行ったりする。
【００４８】
周波数チャンネル選局部１２３は、切り替え選局制御部１２１からの指示を受け、チューナ部１０２に周波数チャンネルを設定し、設定した周波数チャンネルに受信可能な放送波（ＴＳ）がある場合は、周波数チャンネル選局の成功とし、チューナ部１０２から多重化分離部１０３へＴＳのまま出力させる。受信可能な放送波（ＴＳ）がない場合は、周波数チャンネル選局の失敗とし、切り替え選局制御部１２１にその旨通知する。
【００４９】
放送解析部１２４は、切り替え選局制御部１２１の指示を受け、多重化分離部１０３の設定と、多重化分離部１０３によって分離されたデータの解析を行う。この解析により得られる放送局情報、ＴＳのサービス構成などを切り替え選局制御部１２１に通知する。また、チューナ部１０２の状態を監視し、デジタル放送受信装置１００が圏外に移動した場合も、その旨切り替え選局制御部１２１に通知する。
【００５０】
サービスチャンネル選局部１２５は、切り替え選局制御部１２１の指示を受け、ＴＳ内の指定サービスの映像、音声などのストリームを抽出するように多重化分離部１０３を設定すると共に、抽出されたストリームを映像処理部１０７及び音声処理部１０９に出力するように設定する。
【００５１】
次に、上記構成を有するデジタル放送受信装置１００の切り替え選局処理の手順について図４を用いて説明する。図において、ステップ（以下、「ＳＴ」と省略する）１３１では、切り替え選局制御部１２１が、入力部１０４から入力されたリモコン番号又は３桁番号と対応する周波数チャンネルが現在設定されているかを確認する。また、チャンネルリスト制御部１２２を介して受信チャンネルリスト記憶部１０６に記憶されたチャンネルリスト中に存在するかを確認する。この結果、現在設定されている又はチャンネルリスト中に存在する（ＹＥＳ）と確認された場合、ＳＴ１３２に移行し、現在設定されておらず、かつチャンネルリスト中に存在しない（ＮＯ）と確認された場合、ＳＴ１３５に移行する。
【００５２】
ＳＴ１３２では、切り替え選局制御部１２１が周波数チャンネル選局部１２３を制御することにより、入力部１０４から入力されたリモコン番号又は３桁番号と対応する周波数チャンネルでチューナ部１０２を設定し、放送波（ＴＳ）の受信を試みる。
【００５３】
ＳＴ１３３では、ＳＴ１３２における周波数チャンネル選局が成功したか否かが周波数チャンネル選局部１２３において判定され、成功した（ＹＥＳ）と判定されるとＳＴ１３４に移行し、失敗した（ＮＯ）と判定されるとＳＴ１３５に移行する。
【００５４】
ＳＴ１３４では、ＳＴ１３２における周波数チャンネル選局により得られた放送波（ＴＳ）を解析し、放送局の特定及びチャンネルリストの設定変更を行い、ＳＴ１３９に移行する。なお、ＳＴ１３４の詳細な手順については後述する。
【００５５】
ＳＴ１３５では、受信チャンネルリスト記憶部１０６に記憶されている全てのチャンネルリストについて周波数チャンネル選局を行ったか否かが切り替え選局制御部１２１において判定され、行っていない（ＮＯ）と判定されたらＳＴ１３６に移行し、行っている（ＹＥＳ）と判定されたらＳＴ１３７に移行する。
【００５６】
ＳＴ１３６では、チャンネルリスト制御部１２２がカレントに設定しているチャンネルリストを次ぎの優先順位のチャンネルリストに変更し、ＳＴ１３１に戻る。このように、チャンネルリストの優先順位に従ってチャンネルリストを切り替えることにより、次のチャンネルリストで選局が成功する可能性を向上させることができる。
【００５７】
ＳＴ１３７では、既にチャンネルサーチを行ったか否かが切り替え選局制御部１２１において判定され、行っていない（ＮＯ）と判定されたらＳＴ１３８に移行し、行っている（ＹＥＳ）と判定されたらＳＴ１３９に移行する。
【００５８】
ＳＴ１３８では、切り替え選局制御部１２１がチャンネルサーチを行い、現時点で受信可能なチャンネルを検出し、新しいチャンネルリストを作成し、ＳＴ１３１に移行する。このように、受信チャンネルリスト記憶部１０６に記憶された全てのチャンネルリストを用いて選局が失敗してはじめてチャンネルサーチを行うことにより、チャンネルサーチを行う頻度を低く抑えることができる。なお、チャンネルサーチを行う場合、選局が失敗したチャンネルリストのチャネルをサーチ対象から除外することにより、高速にチャンネルサーチを行うことができる。
【００５９】
ＳＴ１３９では、チャンネルリスト識別情報などの切り替え選局結果を表示部１０８に表示し、切り替え選局処理を終了する。
【００６０】
次に、図４に示したＳＴ１３４におけるチャンネルリスト特定処理の詳細な手順について図５を用いて説明する。図５において、ＳＴ１４１では、図４のＳＴ１３２における周波数チャンネル選局の成功を受けて、この周波数チャンネルの放送波（ＴＳ）に含まれるＰＳＩ／ＳＩセクションが放送解析部１２４において解析される。具体的には、ＴＳのサービス構成が記載されたＮＩＴ（Network Information Table）のサービスリストの記述子やＴＳ内の部分受信サービスＩＤ（サービスチャンネル）が記載されたＮＩＴの部分受信記述子、１サービスの構成が記載されたＰＭＴ（Program Map Table）などが解析される。これにより、入力部１０４から入力された３桁番号に対応するサービスがＴＳに含まれるか否かが判定される。サービスチャンネルが含まれる（ＹＥＳ）と判定されたらＳＴ１４２に移行し、含まれない（ＮＯ）と判定されたらＳＴ１４３に移行する。
【００６１】
ＳＴ１４２では、入力部１０４から入力された３桁番号に対応するサービスチャンネルを選局し、ＴＳ内の指定されたサービスで提供される映像を映像処理部１０７に、また、音声を音声処理部１０９に出力するようにサービスチャンネル選局部１２５が多重化分離部１０３を設定し、ＳＴ１４５に移行する。
【００６２】
ＳＴ１４３では、受信チャンネルリスト記憶部１０６に記憶されたチャンネルリストにおいて、選局した周波数チャンネルに対応する放送局情報と、選局したチャンネルの放送波に含まれるセクションデータの放送局情報（以下、単に「受信放送局情報」という）とが一致するか否かが切り替え選局制御部１２１において判定される。具体的にはＢＩＴ（Broadcaster Information Table）に含まれる放送局識別情報や、各ＰＳＩ／ＳＩに含まれるネットワーク識別情報や、ＴＳ識別情報などを解析する。一致する（ＹＥＳ）と判定されたらＳＴ１４４に移行し、一致しない（ＮＯ）と判定されたらＳＴ１４６に移行する。
【００６３】
ＳＴ１４４では、サービスチャンネル選局部１２５がプライマリサービスチャンネルを選局し、ＴＳ内のプライマリサービスで提供される映像を映像処理部１０７に、また、音声を音声処理部１０９に出力するようにサービスチャンネル選局部１２５が多重化分離部１０３を設定し、ＳＴ１４５に移行する。
【００６４】
ＳＴ１４５では、選局されたサービスチャンネルを含むチャンネルリストがカレントに設定されていなければ、チャンネルリスト制御部１２２が該チャンネルリストをカレントに設定し、チャンネルリスト特定処理を終了する。なお、カレントに設定する代わりに優先順位を１番にするなど優先順位を上げてもよい。これにより、ユーザが存在する放送エリアに対応したチャンネルリストの利便性を向上させることができる。
【００６５】
ＳＴ１４６では、切り替え選局制御部１２１がチャンネルリスト制御部１２２を介して受信チャンネルリスト記憶部１０６に記憶された全てのチャンネルリストを検索し、受信放送局情報と一致する放送局情報が存在するか否かを判定する。存在する（ＹＥＳ）と判定されたらＳＴ１４７に移行し、存在しない（ＮＯ）と判定されたらＳＴ１４８に移行する。
【００６６】
ＳＴ１４７では、チャンネルリスト制御部１２２が、受信放送局情報と一致する放送局情報を含むチャンネルリストをカレントに設定し、チャンネルリスト特定処理を終了する。なお、受信放送局情報と一致する放送局情報が複数ある場合、優先順位の高いチャンネルリストをカレントに設定する。
【００６７】
ＳＴ１４８では、受信チャンネルリスト記憶部１０６に記憶された複数のチャンネルリストにそれぞれ対応する放送エリアとは異なる放送エリアであることを切り替え選局制御部１２１が表示部１０８に表示させ、新たなチャンネルリストを作成するようにユーザに要求する。または新規のチャンネルリストを作成し、受信可能なチャンネルに選局されたチャンネルを記入する。切り替え選局中に既にチャンネルサーチが行われていた場合は、サーチ結果を新規のチャンネルリストとする。そして、チャンネルリスト特定処理を終了する。
【００６８】
このように実施の形態１によれば、放送受信装置が複数の異なる放送エリアにそれぞれ対応する複数のチャンネルリストを予め備え、放送受信装置が放送エリアを越えて移動した場合、予め備えている複数のチャンネルリストを自動的に切り替えて選局することにより、ユーザがチャンネルリストを切り替えて選局するという手間を省くことができる。また、チャンネルリストの切り替えは、予め備えているチャンネルリストを用いるため、装置規模及び消費電力が増大することを防止することができる。
【００６９】
（実施の形態２）
実施の形態１では、放送受信装置が起動中に放送エリアを越えて移動したときの処理について説明したが、本発明の実施の形態２では、放送受信装置を起動したときの処理について説明する。なお、本実施の形態に係るデジタル放送受信装置の構成は図１及び図２と同様であるので、図１及び図２を援用して説明する。
【００７０】
図１及び図２に示した受信チャンネルリスト記憶部１０６は、チャンネルリスト特定処理における放送局の特定とチャンネルリストの設定変更（図４のＳＴ１３４に相当）が行われるたびに、対応するリモコン番号をカレントのチャンネルリスト識別情報と共にラストチャンネルリストとして記憶する。なお、ここでは、リモコン番号を例に挙げているが、３桁番号又はサービスＩＤでもよく、チャンネルを表示できる情報であれば何でもよい。
【００７１】
次に、放送受信装置の起動処理の手順について図６を用いて説明する。図６において、ＳＴ１５１では、受信チャンネルリスト記憶部１０６に記憶されたラストチャンネルリストをチャンネルリスト制御部１２２が読み取り、読み取ったチャンネル番号に対応する周波数チャンネルをさらに読み取る。そして、切り替え選局制御部１２１が該周波数チャンネルで選局を行う。これにより、放送受信装置を起動すると、放送受信装置の直近の終了時にテレビ再生を行っていたチャンネルを起動することができる。ラストチャンネルリストに記憶されたチャンネル番号では選局できない場合、例えば、放送受信装置の起動時と直近の終了時とで放送エリアが異なる場合について、ＳＴ１５２以降で説明する。
【００７２】
ＳＴ１５２では、図４に示した切り替え選局処理を行い、ＳＴ１５３では、切り替え選局処理により選局されたチャンネルでテレビ再生を行う。
【００７３】
ＳＴ１５４では、ユーザなどによる放送受信装置の終了要求があるか否かを判定し、終了要求がある（ＹＥＳ）と判定されたら放送受信装置を終了し、終了要求がない（ＮＯ）と判定されたらＳＴ１５５に移行する。
【００７４】
ＳＴ１５５では、ユーザなどによる選局要求があるか否かを判定し、選局要求がある（ＹＥＳ）と判定されたらＳＴ１５２へ戻り、選局要求がない（ＮＯ）と判定されたらＳＴ１５３に戻る。
【００７５】
このように実施の形態２によれば、放送受信装置を起動すると、ラストチャンネルリストに記憶されたチャンネル番号で選局することにより、放送受信装置の起動と共に、直近の終了時に選局されていたチャンネルでテレビ再生することができる。
【００７６】
（実施の形態３）
本発明の実施の形態３では、テレビ再生中に放送波を受信することができなくなった場合について説明する。なお、本実施の形態に係るデジタル放送受信装置の構成は図１及び図２と同様であるので、図１及び図２を援用して説明する。
【００７７】
図７は、本発明の実施の形態３に係る放送受信装置のテレビ再生中における異常受信回避処理の手順を示すフロー図である。この図において、ＳＴ１６１では、放送波が正常に受信され、映像及び音声が再生されているかを判定する。放送波を正常に受信している（ＹＥＳ）と判定されたら異常受信回避処理を終了する。一方、受信状態が悪く、映像又は音声などがアンダーフローを起こし、再生が停止するような場合など、放送波を正常に受信していない、すなわち、異常受信である（ＮＯ）と判定されたら、ＳＴ１６２に移行する。
【００７８】
ＳＴ１６２では、テレビ再生していた番組情報、例えば、番組識別情報、番組名、ジャンルなどと、テレビ再生していたチャンネルを放送する放送局の系列局を示す系列局情報を保存する。
【００７９】
ＳＴ１６３では、図４に示した切り替え選局処理を行い、ＳＴ１６４では、切り替え選局が成功したか否かが判定される。成功した（ＹＥＳ）と判定されたらＳＴ１６５に移行し、失敗した（ＮＯ）と判定されたら異常受信回避処理を終了する。
【００８０】
ＳＴ１６５では、ＳＴ１６３において選局したチャンネルに、ＳＴ１６３において保存した番組情報又は系列局情報が含まれているか否かを判定し、含まれている（ＹＥＳ）と判定されたらＳＴ１６６に移行し、含まれていない（ＮＯ）と判定されたらＳＴ１６７に移行する。
【００８１】
ＳＴ１６６では、対応するリモコン番号をカレントのチャンネルリスト識別情報と共にラストチャンネルリストに記憶し、異常受信回避処理を終了する。
【００８２】
ＳＴ１６７では、カレントのチャンネルリスト内の全チャンネルについて選局したか否かを判定し、全チャンネルについて選局した（ＹＥＳ）と判定されたらＳＴ１６８に移行し、選局していない（ＮＯ）と判定されたらＳＴ１７０に移行する。
【００８３】
ＳＴ１６８では、カレントのチャンネルリスト内の全チャンネルについて選局しても、選局したチャンネルにＳＴ１６３において保存した番組情報又は系列局情報が含まれていなかったので、ＳＴ１６１において異常受信であると判定されたチャンネルに戻し、選局を行う。そして、ＳＴ１６９で同一番組及び同一系列局がなかったことを表示し、異常受信回避処理を終了する。
【００８４】
ＳＴ１７０では、カレントのチャンネルリストにおいて次の周波数チャンネルで選局を行い、ＳＴ１６５に戻る。
【００８５】
このように実施の形態３によれば、テレビ再生中の放送波を異常受信した場合、切り替え選局処理を行い、選局されたチャンネルに含まれる番組情報のうち、異常受信と判定されたチャンネルの番組情報又は系列局情報と一致するチャンネルがあれば、そのチャンネルで選局することにより、テレビ再生中に放送受信装置が放送エリアを越えて移動した場合でも、移動先の放送エリアにおいて同一番組のテレビ再生を継続することができる。
【００８６】
なお、上述した各実施の形態では、デジタル放送を例に挙げて説明したが、本発明はこれに限らず、アナログ放送でもよい。
【００８７】
また、上述した各実施の形態では、携帯端末等に搭載可能な放送受信装置として説明したが、本発明はこれに限らず、自動車等に搭載可能な放送受信装置でもよい。
【産業上の利用可能性】
【００８８】
本発明にかかる放送受信装置は、装置規模及び消費電力を増大させることなく、チャンネルリストを切り替えるという効果を有し、例えば、携帯電話等の携帯端末に適用することができる。
【図面の簡単な説明】
【００８９】
【図１】本発明の実施の形態１、２及び３に係るデジタル放送受信装置の構成を示すブロック図
【図２】図１に示した受信チャンネルリスト記憶部が有するチャンネルリストを示す図
【図３】図１に示した制御部の内部構成を示すブロック図
【図４】図１に示したデジタル放送受信装置の切り替え選局処理の手順を示すフロー図
【図５】図４に示したチャンネルリスト特定処理の詳細な手順を示すフロー図
【図６】本発明の実施の形態２に係る放送受信装置の起動処理の手順を示すフロー図
【図７】本発明の実施の形態３に係る放送受信装置のテレビ再生中における異常受信回避処理の手順を示すフロー図
【図８】特許文献１に記載された放送受信装置の構成を示すブロック図
【符号の説明】
【００９０】
１０１  アンテナ
１０２  チューナ部
１０３  多重化分離部
１０４  入力部
１０５  制御部
１０６  受信チャンネルリスト記憶部
１０７  映像処理部
１０８  表示部
１０９  音声処理部
１１０  音声出力部
１２１  切り替え選局制御部
１２２  チャンネルリスト制御部
１２３  周波数チャンネル選局部
１２４  放送解析部
１２５  サービスチャンネル選局部
【図１】
2006109337.tif 000003
【図２】
2006109337.tif 000004
【図３】
2006109337.tif 000005
【図４】
2006109337.tif 000006
【図５】
2006109337.tif 000007
【図６】
2006109337.tif 000008
【図７】
2006109337.tif 000009
【図８】
2006109337.tif 000010